(57)【要約】【課題】  用途に応じた着信態様の使い分けを確実に行うことができ、使用者の精神的ストレスを低減させることが可能な携帯電話機を提供すること。【解決手段】  １台で複数の自局電話番号を使用可能な携帯電話機であって、所定の着信態様で着信報知を行う着信報知手段と、着信態様を複数の自局電話番号の各々に対して個別に設定可能とする着信態様設定手段と、着信があったときの相手局電話番号が記憶されているか否かを判断する判断手段とを備え、着信報知手段は、着信があったときの相手局電話番号が電話番号記憶手段に記憶されていると判断手段が判断したことを受けて、着信態様設定手段により設定された着信態様で着信報知を行う一方、着信があったときの相手局電話番号が記憶されていないと判断手段が判断したことを受けて、着信態様設定手段により設定された着信態様以外の着信態様で着信報知を行うことを特徴とする携帯電話機。【選択図】    図４
2005210306.tif 000002
【特許請求の範囲】
【請求項１】
１台で複数の自局電話番号を使用可能な携帯電話機であって、
相手局電話番号を、前記複数の自局電話番号のいずれかに対応させて記憶する電話番号記憶手段と、
所定の着信態様で着信報知を行う着信報知手段と、
着信態様を前記複数の自局電話番号の各々に対して個別に設定可能とする着信態様設定手段と、
着信があったときの相手局電話番号が、前記電話番号記憶手段に記憶されているか否かを判断する判断手段とを備え、
前記着信報知手段は、着信があったときの相手局電話番号が、前記電話番号記憶手段に記憶されていると前記判断手段が判断したことを受けて、前記着信態様設定手段により設定された着信態様で着信報知を行う一方、着信があったときの相手局電話番号が、前記電話番号記憶手段に記憶されていないと前記判断手段が判断したことを受けて、前記着信態様設定手段により設定された着信態様以外の着信態様で着信報知を行うことを特徴とする携帯電話機。
【請求項２】
前記電話番号記憶手段は、前記複数の自局電話番号のなかの一の自局電話番号に対応した１又は２以上の相手局電話番号からなる複数の相手局電話番号群を記憶しており、
各相手局電話番号群に対して個別にアクセスすることができるように記憶可能な記憶領域を有することを特徴とする請求項１に記載の携帯電話機。
【請求項３】
１台で複数の自局電話番号を使用可能な携帯電話機の制御プログラムであって、
携帯電話機を、
相手局電話番号を、前記複数の自局電話番号のいずれかに対応させて記憶する電話番号記憶手段、
所定の着信態様で着信報知を行う着信報知手段、
着信態様を前記複数の自局電話番号の各々に対して個別に設定可能とする着信態様設定手段、及び、
着信があったときの相手局電話番号が、前記電話番号記憶手段に記憶されているか否かを判断する判断手段として機能させ、
前記着信報知手段は、着信があったときの相手局電話番号が、前記電話番号記憶手段に記憶されていると前記判断手段が判断したことを受けて、前記着信態様設定手段により設定された着信態様で着信報知を行う一方、着信があったときの相手局電話番号が、前記電話番号記憶手段に記憶されていないと前記判断手段が判断したことを受けて、前記着信態様設定手段により設定された着信態様以外の着信態様で着信報知を行うことを特徴とする携帯電話機の制御プログラム。
【発明の詳細な説明】
【技術分野】
【０００１】
本発明は、複数の自局電話番号を使用可能な携帯電話機、及び、当該携帯電話機の制御プログラムに関する。
【背景技術】
【０００２】
従来、相手局電話番号に対応させて着信音等の着信態様を設定することが可能な携帯電話機が知られている（例えば、特許文献１参照）。このような携帯電話機では、着信があったときの着信態様から相手先を特定することができるものの、携帯電話機に記憶されている相手局電話番号が多い場合には、それらの相手局電話番号の各々に対応する着信態様も多くなり、着信があったときの着信態様から相手先を特定することが困難となる。
【０００３】
また、従来、複数の自局電話番号を使用可能な携帯電話機であって、複数の自局電話番号の各々に対して着信態様を設定することが可能な携帯電話機が知られている（例えば、特許文献２、３参照）。
このような携帯電話機では、複数の自局電話番号の各々に対応させて着信態様を使い分けることができるため、複数の自局電話番号を私用と公用との用途ごとに使い分けている使用者等にとって、用途に応じた着信態様の使い分けを行うことができるとともに、多くの着信態様を相手局電話番号と対応させて記憶しておく必要がない。
【０００４】
【特許文献１】特開平５−１１０６３６号公報
【特許文献２】特開２００２−１１１８１０号公報
【特許文献３】特開２００３−１８９０１３号公報
【発明の開示】
【発明が解決しようとする課題】
【０００５】
しかしながら、上述した携帯電話機は、例えば、間違い電話等の予期しない相手先からの着信があった場合であっても、着信態様から当該相手先をある程度予想して電話に出てしまうことになるため、用途に応じた着信態様の使い分けを確実に行うことができるものであるとはいえない。
例えば、複数の自局電話番号のうち、仕事用に使用している自局電話番号に対して着信があった場合には、使用者は、着信態様から仕事用の電話であると判断して慌てて電話に出てしまうため、使用者の精神的ストレスを増大させてしまうおそれがある。
【０００６】
本発明は上述した問題に鑑みてなされたものであり、その目的は、用途に応じた着信態様の使い分けを確実に行うことができ、使用者の精神的ストレスを低減させることが可能な携帯電話機、及び、当該携帯電話機の制御プログラムを提供することにある。
【課題を解決するための手段】
【０００７】
上述した課題を解決するために、本発明は、以下のようなものを提供する。
（１）１台で複数の自局電話番号を使用可能な携帯電話機であって、
相手局電話番号を、上記複数の自局電話番号のいずれかに対応させて記憶する電話番号記憶手段と、
所定の着信態様で着信報知を行う着信報知手段と、
着信態様を上記複数の自局電話番号の各々に対して個別に設定可能とする着信態様設定手段と、
着信があったときの相手局電話番号が、上記電話番号記憶手段に記憶されているか否かを判断する判断手段とを備え、
上記着信報知手段は、着信があったときの相手局電話番号が、上記電話番号記憶手段に記憶されていると上記判断手段が判断したことを受けて、上記着信態様設定手段により設定された着信態様で着信報知を行う一方、着信があったときの相手局電話番号が、上記電話番号記憶手段に記憶されていないと上記判断手段が判断したことを受けて、上記着信態様設定手段により設定された着信態様以外の着信態様で着信報知を行うことを特徴とする携帯電話機。
【０００８】
（１）の発明によれば、電話番号記憶手段に記憶されている相手局電話番号以外の相手局電話番号から着信があった場合には、複数の自局電話番号の各々に対して個別に設定された着信態様以外の着信態様で着信報知が行われるため、例えば、仕事用に使用している自局電話番号に対して間違い電話があった場合であっても、間違い電話であることを着信態様からある程度予想することができ、仕事用の電話であると判断して慌てて電話に出てしまうことがない。その結果、用途に応じた着信態様の使い分けを確実に行うことができ、使用者の精神的ストレスを低減させることが可能となる。
【０００９】
さらに、本発明は、以下のようなものを提供する。
（２）  上記（１）に記載の携帯電話機であって、
上記電話番号記憶手段は、上記複数の自局電話番号のなかの一の自局電話番号に対応した１又は２以上の相手局電話番号からなる複数の相手局電話番号群を記憶しており、
各相手局電話番号群に対して個別にアクセスすることができるように記憶可能な記憶領域を有することを特徴とする。
【００１０】
（２）の発明によれば、例えば、１又は２以上の相手局電話番号からなる相手局電話番号群を格納することが可能な複数のフォルダを用いるとともに、複数の自局電話番号の各々に当該複数のフォルダをそれぞれ関連付け、各自局電話番号に対応する相手局電話番号群が対応するフォルダに格納されるようにすることが可能であり、これにより、相手局電話番号を携帯電話機に記憶させる際には、その相手先との通話に使用する自局電話番号に対応するフォルダに相手局電話番号を格納すればよく、都度、対応する自局電話番号を入力する必要がなくなるため、利便性に優れたものとなる。なお、上記フォルダに相手局電話番号群を格納するということは、当該相手局電話番号群を構成する相手局電話番号の各々に、当該フォルダを特定するための識別情報を付加して電話番号記憶手段に記憶するということである。これによりフォルダに格納されている相手局電話番号群に対して個別にアクセスすることが可能となる。また、各相手局電話番号群に対して個別にアクセスするということは、各相手局電話番号群に対して個別に書込み、書換え、読込み等の処理を行うということである。
【００１１】
また、各自局電話番号に対応するフォルダに格納されている相手局電話番号群に対して個別にアクセスすることができるため、用途ごとの相手局電話番号の検索を容易にすることができる。
【００１２】
さらに、例えば、フォルダに係る自局電話番号の用途が携帯電話機の表示部に表示されるようにすることが可能であり、これにより、自局電話番号と、当該自局電話番号を使用する用途との対応関係が分かり易く、より利便性に優れたものとなる。また、自局電話番号の数が多い場合であっても、自局電話番号を使用する用途を把握し易いため、相手局電話番号を携帯電話機に記憶させる際に、対応させる自局電話番号を特定し易くなり、利便性に優れたものとなる。
【００１３】
さらに、本発明は、以下のようなものを提供する。
（３）１台で複数の自局電話番号を使用可能な携帯電話機の制御プログラムであって、
携帯電話機を、
相手局電話番号を、上記複数の自局電話番号のいずれかに対応させて記憶する電話番号記憶手段、
所定の着信態様で着信報知を行う着信報知手段、
着信態様を上記複数の自局電話番号の各々に対して個別に設定可能とする着信態様設定手段、及び、
着信があったときの相手局電話番号が、上記電話番号記憶手段に記憶されているか否かを判断する判断手段として機能させ、
上記着信報知手段は、着信があったときの相手局電話番号が、上記電話番号記憶手段に記憶されていると上記判断手段が判断したことを受けて、上記着信態様設定手段により設定された着信態様で着信報知を行う一方、着信があったときの相手局電話番号が、上記電話番号記憶手段に記憶されていないと上記判断手段が判断したことを受けて、上記着信態様設定手段により設定された着信態様以外の着信態様で着信報知を行うことを特徴とする携帯電話機の制御プログラム。
【００１４】
（３）の発明によれば、電話番号記憶手段に記憶されている相手局電話番号以外の相手局電話番号から着信があった場合には、複数の自局電話番号の各々に対して個別に設定された着信態様以外の着信態様で着信報知が行われるように携帯電話機が制御されるため、例えば、仕事用に使用している自局電話番号に対して間違い電話があった場合であっても、間違い電話であることを着信態様からある程度予想することができ、仕事用の電話であると判断して慌てて電話に出てしまうことがない。その結果、用途に応じた着信態様の使い分けを確実に行うことができ、使用者の精神的ストレスを低減させることが可能となる。
【発明の効果】
【００１５】
本発明の構成によれば、電話番号記憶手段に記憶されている相手局電話番号以外の相手局電話番号から着信があった場合には、複数の自局電話番号の各々に対して個別に設定された着信態様以外の着信態様で着信報知が行われるため、用途に応じた着信態様の使い分けを確実に行うことができ、使用者の精神的ストレスを低減させることが可能となる。
【発明を実施するための最良の形態】
【００１６】
本発明の実施形態について図面に基づいて説明する。以下においては、１台で３つの自局電話番号の使用が可能な携帯電話機について説明することにする。なお、本発明の携帯電話機において、１台で使用可能な自局電話番号の数は、特に限定されるものではない。
図１は、実施形態の携帯電話機の一例を模式的に示す斜視図である。
【００１７】
携帯電話機１は、基地局にキャリアの入出力を行う３本のアンテナ８ａ〜８ｃ（図示せず）をその内部に有するアンテナ部２と、電話に出たときに相手局（着信相手先）の音声を聞くための受話口３と、各種機能の設定や着信時に相手局電話番号や相手先の氏名等を表示するための表示部としてのディスプレイ４と、着信音量や通話音量を調節したり、メモリダイヤルの内容をディスプレイ４上に所要の状態で表示させたり、各種機能の設定を選択するための十字方向操作キー５と、電話番号や文字等を入力する際に使用されるダイヤルキーを含む操作キー群６と、通話中に自局の音声を伝えるための送話口７とを備えている。
【００１８】
携帯電話機１の外装は、所要の内装部品（電子部品を含む）を収容するためのケース１１と、ケース１１に収容された内装部品を覆うカバー１２とに分割されており、ケース１１内に内装部品を収容した状態で、ケース１１及びカバー１２の両者を嵌め合わせることにより構成されている。
【００１９】
アンテナ部２は、携帯電話機１で使用可能な３つの自局電話番号にそれぞれ対応した３本のアンテナ８ａ〜８ｃ（図示せず）をその内部に有するものであり、ケース１１及びカバー１２の両者に挟み込まれ、その先端部が携帯電話機１の前端左側から前方へ突出している。受話口３は、カバー１２の前方部に形成される一方、送話口７は、カバー１２の後方部に形成されている。ディスプレイ４の表示面は、受話口３の下方位置においてカバー１２から露出しており、操作キー群６の操作面は、送話口７の上方位置においてカバー１２から露出している。
【００２０】
十字方向操作キー５は、通信を行うべく携帯電話機１を把持した際に母指での操作を容易にするように、ディスプレイ４と操作キー群６との間で、かつ、携帯電話機１の幅方向中央部に配置されている。
【００２１】
図２は、図１に示した携帯電話機の内部構成を示すブロック図である。
携帯電話機１の３つの自局電話番号に対応した３本のアンテナ８ａ〜８ｃは、それぞれ基地局とのキャリアの入出力を行う。アンテナ８ａ〜８ｃには、それぞれ信号処理回路１０１ａ〜１０１ｃが接続されている。
なお、本発明の携帯電話機が備えるアンテナの数は、特に限定されるものではなく、必ずしも、携帯電話機１のように、使用可能な自局電話番号に対応した数のアンテナが設けられる必要はない。例えば、１本のアンテナで複数の自局電話番号についての送信キャリアの送信及び受信キャリアの受信を行うこととしてもよい。
【００２２】
信号処理回路１０１（１０１ａ〜１０１ｃ）は、アンテナ８（８ａ〜８ｃ）より入力された受信キャリアの復調処理を行う受信器と、送信キャリアを変調処理する送信器と、受信器及び送信器に対して送信キャリア及び受信キャリアの送受信周波数の制御を行うシンセサイザと、音声及び制御情報の復号化処理等を行うチャネルデコーダと、音声及び制御情報の符号化処理を行うチャネルエンコーダと、音声の符号／復号処理を行う音声コーデックと、スピーカ１１１及びマイクロホン１１２とのインターフェイスとして機能する送受話器とを備えている。
【００２３】
アンテナ８（８ａ〜８ｃ）から入力された受信キャリアは、受信機−チャネルデコーダ−音声コーデック−送受信機によって音声に変換されて、スピーカ１１１から出力される。一方、通話中にマイクロホン１１２から入力された音声は、使用中の自局電話番号に対応した信号処理回路１０１に入力され、送受信機−音声コーデック−チャネルエンコーダ−送信器によって送信キャリアに変換されて、アンテナ８（８ａ〜８ｃ）から出力される。これにより、音声通話が達成される。携帯電話機１は、上述したように、３本のアンテナ８（８ａ〜８ｃ）と、３つの信号処理回路１０１（１０１ａ〜１０１ｃ）とを有しており、３つの自局電話番号のいずれか１つを使用して音声通話を行うことができる。
【００２４】
信号処理回路１０１ａ〜１０１ｃには、それぞれレベル検出回路１０２ａ〜１０２ｃが接続されている。レベル検出回路１０２（１０２ａ〜１０２ｃ）は、基地局からアンテナ８（８ａ〜８ｃ）を介して信号処理回路１０１（１０１ａ〜１０１ｃ）に入力された受信キャリアの電波強度を検出してそのデータを制御回路１１６に送信する。制御回路１１６は、受信キャリアの電波強度に関するデータを、３つのレベル検出回路１０２（１０２ａ〜１０２ｃ）の各々から受信し、当該データに基づいて、ディスプレイ４にアンテナピクトを表示する。
【００２５】
信号処理回路１０１ａ〜１０１ｃのそれぞれと接続された制御回路１１６は、ＣＰＵ（Central Processing Unit）やメモリ等を有しており、制御中枢を司るものである。具体的には、制御回路１１６は、予め記憶されているプログラムに従って、発信ボタンを含む操作キー群６及び十字操作キー５からの入力に対する制御、ディスプレイ４への表示の制御、信号処理回路１０１ａ〜１０１ｃへの制御（例えば、シンセサイザの制御や、スピーカ１１１又はマイクロホン１１２との音声の送受信を行う信号処理回路１０１ａ〜１０１ｃの切り替え制御等）、着信音出力スピーカ１０３への音信号の出力制御、並びに、バイブレータ用モータ１０４の駆動制御を行う。
【００２６】
制御回路１１６及び着信音出力スピーカ１０３は、所定の着信態様で着信報知を行う着信報知手段である。また、制御回路１１６及びバイブレータ用モータ１０４は、所定の着信態様で着信報知を行う着信報知手段である。
【００２７】
また、制御回路１１６（図示せず）は、メモリを有している。このメモリには、例えば、各種の画像データ、着信音を出力するための種々の音データ、通話時間を累積加算して当該メモリに記憶させるプログラム、３つの自局電話番号の各々についての料金体系に基づいて通話料金を算出するプログラム等、各種のデータやプログラムが記憶される。
【００２８】
また、制御回路１１６には、メモリ等を有する上記電話番号記憶手段である電話番号記憶回路１１３が接続されている。電話番号記憶回路１１３には、アドレス帳テーブルが格納されている。このアドレス帳テーブルには、携帯電話機１で使用可能な自局電話番号ごとに、相手先の名前、及び、相手局電話番号が記憶される。また、アドレス帳テーブルには、携帯電話機１使用可能な自局電話番号ごとに、着信報知を行う際の着信態様等が記憶されている。
【００２９】
次に、電話番号記憶回路１１３に格納されるアドレス帳テーブルについて説明する。
図３は、アドレス帳テーブルの一例を示す概念図である。
アドレス帳テーブルには、３つの自局電話番号Ｘ、Ｙ、Ｚが記憶されている。これらの自局電話番号が、携帯電話機１で使用可能な自局電話番号である。
【００３０】
また、アドレス帳テーブルには、１又は２以上の相手局電話番号からなる相手局電話番号群と、各相手局電話番号に係る相手先の名前からなる相手先名前群とが格納される３つのフォルダ（フォルダＡ〜Ｃ）が記憶されている。自局電話番号Ｘ〜Ｚには、フォルダＡ〜Ｃがそれぞれ関連付けられている。
【００３１】
また、アドレス帳テーブルには、４つの着信態様（着信音Ａ〜Ｄ）が記憶されている。これらの着信態様のうち、着信音Ａ〜Ｃは、自局電話番号Ｘ〜Ｚとそれぞれ関連付けられている。一方、着信音Ｄは、自局電話番号Ｘ〜Ｚのいずれとも関連付けられていない。この着信音Ｄは、アドレス帳テーブルに記憶されていない相手局電話番号からの着信があったときに行われる着信報知の着信態様である。
【００３２】
また、アドレス帳テーブルには、相手先の名前及び相手局電話番号が記憶されている。相手先の名前及び相手局電話番号の各々は、自局電話番号Ｘ〜Ｚのいずれかと関連付けられている。一の自局電話番号と関連付けられた１又は２以上の相手先の名前からなる相手先名前群、及び、当該自局電話番号に関連付けられた１又は２以上の相手局電話番号からなる相手局電話番号群は、当該自局電話番号に対応するフォルダに格納されている。
フォルダＡ（仕事用）には、相手先の名前「田中」、「斎藤」からなる相手先名前群、及び、相手局電話番号Ａ、Ｂからなる相手局電話番号群が格納されている。
また、フォルダＢ（家族・友人用）には、相手先の名前「鈴木」、「高橋」、「大田」からなる相手先名前群、及び、相手局電話番号Ｃ、Ｄ、Ｅからなる相手局電話番号群が格納されている。
さらに、フォルダＣ（私的用）には、相手先の名前「山田」、「佐藤」からなる相手先名前群、及び、相手局電話番号Ｆ、Ｇからなる相手局電話番号群が格納されている。使用者は、十字方向操作キー５、操作キー群６の操作により、各フォルダに記憶されている相手先名前群及び相手局電話番号群に対して個別に書込み、書換え、読込み等の処理を行うことができる。
【００３３】
使用者により相手先の名前及び相手局電話番号をアドレス帳テーブルに記憶させる際には、３つの自局電話番号の各々に対応するフォルダのなかのいずれか一のフォルダに相手先の名前及び相手局電話番号を格納させるのである。このようにすることにより、相手局電話番号をアドレス帳テーブルに記憶させる際に、都度、対応する自局電話番号を入力する必要がなくなるため、利便性に優れたものとなる。
【００３４】
また、例えば、自局電話番号Ｘに対応するフォルダＡ（仕事用）にアクセスすると、自局電話番号Ｘに対応する相手局電話番号Ａ及び相手局電話番号Ｂからなる相手局電話番号群にアクセスすることが可能となるため、仕事用の電話をかける際には、仕事用の相手局電話番号群のなかから電話をかける相手局電話番号を検索することが可能となり、用途ごとの相手局電話番号の検索を容易にすることができる。
【００３５】
また、各自局電話番号に対応したフォルダを示す画像、及び、当該フォルダのフォルダ名がディスプレイ４に表示される。これにより、例えば、フォルダＡ（仕事用）については「仕事用」、フォルダＢ（家族・友人用）については「家族・友人用」、フォルダＣ（私的用）については「私的用」というように、各フォルダに係る自局電話番号の用途をフォルダ名としてディスプレイ４に表示させることが可能となる。このようにすることにより、自局電話番号と、当該自局電話番号を使用する用途との対応関係が分かり易く、より利便性に優れたものとなる。
【００３６】
なお、各フォルダに格納されている相手先の名前及び相手局電話番号には、格納されるフォルダを特定するためのフォルダ情報が付加されている。ここで、相手先の名前及び相手局電話番号をフォルダに格納するということは、当該フォルダに係るフォルダ情報を相手先の名前及び相手局電話番号に付加して電話番号記憶回路１１３に記憶させるということである。
【００３７】
上述したように、アドレス帳テーブルには、自局電話番号Ｘ〜Ｚにそれぞれ対応する着信音Ａ〜Ｃ、及び、当該アドレス帳テーブルに記憶されていない相手局電話番号からの着信があったときの着信音Ｄが記憶されている。
例えば、相手先「田中」から自局電話番号Ｘに対して着信があった場合には、着信音Ａで着信報知が行われる。また、例えば、相手先「鈴木」から自局電話番号Ｙに対して着信があった場合には、着信音Ｂで着信報知が行われる。さらに、アドレス帳テーブルに記憶されていない相手局電話番号から着信があった場合には、着信音Ｄで着信報知が行われるのである。
【００３８】
図３に示したアドレス帳テーブルの各項目の内容、及び、各項目間の関連付けについては、「自局電話番号」の内容を除いて、使用者が十字方向操作キー５や操作キー群６を操作することにより任意に入力することが可能である。十字方向操作キー５、操作キー群６及び制御回路１１６は、着信態様（着信音Ａ〜Ｃ）を複数の自局電話番号の各々に対して個別に設定可能とする着信態様設定手段として機能する。
【００３９】
図４は、携帯電話機１の制御回路１１６において実行される着信処理ルーチンである。
図４に示したサブルーチンは、予め実行されているメインルーチンから所定のタイミングで呼び出されて実行されるものである。
【００４０】
まず、制御回路１１６は、着信があったか否かを判断する（ステップＳ１）。この処理において、制御回路１１６は、アンテナ８（８ａ〜８ｃ）から信号処理回路１０１（１０１ａ〜１０１ｃ）を介して受信キャリアの入力を受けたか否かを判断することにより、着信の有無を判断する。着信がなかったと判断した場合、本サブルーチンを終了する。
【００４１】
一方、ステップＳ１において、着信があったと判断した場合、制御回路１１６は、３つの自局電話番号のうち、当該着信によって使用される自局電話番号を特定する（ステップＳ２）この処理において、制御回路１１６は、３つの信号処理回路１０１ａ〜１０１ｃのうち、受信キャリアの入力を受けた信号処理回路１０１に対応する自局電話番号を、当該着信によって使用される自局電話番号であると特定する。
【００４２】
次に、制御回路１１６は、着信があったときの相手局電話番号がアドレス帳テーブルに記憶されているか否かを判断する（ステップＳ３）。このステップＳ３において、制御回路１１６は、電話番号記憶回路１１３に格納されているアドレス帳テーブルを参照し、ステップＳ１において着信があったときの相手局電話番号が、アドレス帳テーブルに記憶されているか否かを判断する。このステップＳ３の処理を実行するとき、制御回路１１６は、着信があったときの相手局電話番号が、電話番号記憶回路１１３に記憶されているか否かを判断する判断手段として機能する。
【００４３】
ステップＳ３において、着信があったときの相手局電話番号がアドレス帳テーブルに記憶されていると判断した場合、次に、制御回路１１６は、ステップＳ２において特定された自局電話番号に対応する着信態様を選択する処理を実行する（ステップＳ１１）。このステップＳ１１の処理は、図３に示したアドレス帳テーブルに基づいて行われる。
自局電話番号Ｘに対して着信があった場合には、着信態様として着信音Ａが選択される。また、例えば、自局電話番号Ｙに対して着信があった場合には、着信態様として着信音Ｂが選択される。
【００４４】
一方、ステップＳ３において、着信があったときの相手局電話番号がアドレス帳テーブルに記憶されていないと判断した場合、次に、制御回路１１６は、各自局電話番号に対応する着信態様以外の着信態様を選択する処理を実行する（ステップＳ１２）。このステップＳ１２の処理は、例えば、図３に示したアドレス帳テーブルに基づいて行われる。
すなわち、図３に示したアドレス帳テーブルに記憶されている相手局電話番号以外の相手局電話番号から着信があったときの着信態様として設定された着信音Ｄが選択されるのである。
【００４５】
ステップＳ１１又はステップＳ１２の処理を実行した場合、制御回路１１６は、ステップＳ１１又はステップＳ１２の処理において選択された着信態様で着信報知を行う（ステップＳ４）。このステップＳ４において、制御回路１１６は、図３に示したアドレス帳テーブルに基づいて、ステップＳ１１又はステップＳ１２において選択された着信態様（着信音）で着信報知を行う。
このとき、制御回路１１６及び着信音出力スピーカ１０３は、着信報知手段として機能する。
次に、操作キー群６にある通話ボタンが操作されたか否かを判断する（ステップＳ５）。操作キー群６にある通話ボタンが操作されたと判断した場合、制御回路１１６は、着信音出力スピーカ１０３による着信報知を停止させる（ステップＳ８）。次に、制御回路１１６は、使用される自局電話番号に対応したアンテナ８と信号処理回路１０１とによって、着信相手先との通話を開始させ（ステップＳ９）、本サブルーチンを終了する。
【００４６】
一方、ステップＳ５において、通話ボタンが操作されていないと判断した場合、制御回路１１６は、着信相手先からの着信が停止したか否かを判断する（ステップＳ６）。この判断は、使用される自局電話番号に対応した信号処理回路１０１からの受信キャリアの入力が停止したか否かを判断することにより行われる。
【００４７】
着信相手先からの着信が停止していないと判断した場合、処理をステップＳ５に戻す。一方、ステップＳ６において、着信相手先からの着信が停止したと判断した場合、着信音出力スピーカ１０３による着信報知を停止させ（ステップＳ７）、本サブルーチンを終了する。
【００４８】
以上、実施形態に係る携帯電話機１では、アドレス帳テーブルに記憶されている相手局電話番号以外の相手局電話番号から着信があった場合には、３つの自局電話番号Ｘ、Ｙ、Ｚの各々に対して個別に設定された着信態様以外の着信態様で着信報知が行われるため、例えば、仕事用に使用している自局電話番号に対して間違い電話があった場合であっても、間違い電話であることを着信態様からある程度予想することができ、仕事用の電話であると判断して慌てて電話に出てしまうことがない。その結果、用途に応じた着信態様の使い分けを確実に行うことができ、使用者の精神的ストレスを低減させることが可能となる。
【００４９】
実施形態に係る携帯電話機１では、３つの自局電話番号の各々に対応する着信音、及び、アドレス帳テーブルに記憶されていない相手局電話番号からの着信があったときの着信音を設定可能である場合について説明したが、本発明の携帯電話機は、複数の自局電話番号の各々に対応する振動パターン、及び、アドレス帳テーブルに記憶されていない相手局電話番号からの着信があったときの振動パターンを変更可能なように構成されていてもよい。
以下、携帯電話機が複数の自局電話番号に各々に対応する振動パターン、及び、アドレス帳テーブルに記憶されていない相手局電話番号からの着信があったときの振動パターンを設定可能であるように携帯電話機１が構成されている場合について説明する。
【００５０】
図５は、アドレス帳テーブルの別の一例を示す概念図である。
図５に示すアドレス帳テーブルには、着信態様としてバイブレータ用モータ１０４による振動パターンが、各自局電話番号と関連付けて記憶されている。
例えば、自局電話番号Ｘに対して相手局電話番号Ａから着信があった場合には、バイブレータ用モータ１０４により、振動パターンＡで着信報知が行われる。また、例えば、自局電話番号Ｙに対して相手局電話番号Ｂから着信があった場合には、バイブレータ用モータ１０４により、振動パターンＢで着信報知が行われる。さらに、アドレス帳テーブルに記憶されていない相手局電話番号から着信があった場合には、バイブレータ用モータ１０４により、振動パターンＤで着信報知が行われる。
【００５１】
また、本発明の携帯電話機において、所定の着信態様で着信報知を行う着信報知手段は、制御回路１１６及び着信音出力スピーカ１０３、並びに、制御回路１１６及びバイブレータ用モータ１０４に限定されるものではなく、例えば、表示手段（ディスプレイ４）に所定の画像を表示することにより着信報知を行うこととしてもよい。また、携帯電話機が光源（例えば、ＬＥＤ、蛍光灯等）を備えている場合には、当該光源によるイルミネーションで着信報知を行うこととしてもよい。本発明の携帯電話機が備える着信報知手段の数は、特に限定されるものではなく、１つであってもよければ、複数であってもよい。
【００５２】
また、実施形態に係る携帯電話機１では、アドレス帳テーブルに記憶されていない相手局電話番号からの着信があったときの着信態様が使用者により設定可能である場合について説明したが、本発明では、電話番号記憶手段に記憶されていない相手局電話番号からの着信があったときの着信態様が、着信態様設定手段により設定された着信態様以外の着信態様のなかから任意に選択されるように携帯電話機が構成されていてもよい。
例えば、６つの着信態様Ａ〜Ｆを携帯電話機が記憶しており、着信態様Ａ〜Ｃが３つの自局電話番号の各々に対応してそれぞれ設定されている場合に、電話番号記憶手段に記憶されていない相手局電話番号からの着信があった場合には、着信態様Ｄ〜Ｆのなかから、乱数を用いて、ランダムに一の着信態様が選択されるようにしてもよい。
【００５３】
また、本発明の携帯電話機では、電話番号記憶手段に記憶されている相手局電話番号であって、一の自局電話番号に対応していない相手局電話番号から、当該自局電話番号に対して着信があった場合には、当該相手局電話番号に対応する自局電話番号について設定された着信態様で着信報知を行ってもよい。
例えば、図３において、相手先「鈴木」から自局電話番号Ｘに対して着信があった場合には、相手先「鈴木」に対応する自局電話番号Ｙについて設定された着信音Ｂで着信報知を行うようにするのである。
また、本発明では、電話番号記憶手段に記憶されている相手局電話番号であって、一の自局電話番号に対応していない相手局電話番号から、当該自局電話番号に対して着信があったときの着信態様を設定可能なように、又は、任意に選択されるように携帯電話機が構成されていてもよい。
この場合、例えば、着信があった自局電話番号に係る相手局電話番号群が格納されたフォルダから、当該着信があった相手局電話番号を検索し、当該相手局電話番号が格納されていないと判断した場合には、他のフォルダを検索し、当該相手局電話番号が格納されていると判断されたフォルダに対応する自局電話番号について設定された着信態様で着信報知を行うというように、フォルダごとに分割して検索を行う方法を採用することができる。このようにすることにより、着信があった相手局電話番号を、全てのフォルダについて検索する場合が少なくなり、検索時間を短縮することが可能となる。
上述した方法を実現するために、本発明の携帯電話機の制御回路が備えるメモリ等には、携帯電話機を、
着信があった自局電話番号に係る相手局電話番号群から、当該着信があった相手局電話番号の検索を行う第１検索手段、
着信があった自局電話番号に係る相手局電話番号群に、当該着信があった相手局電話番号が存在しないと判断したことを受けて、当該相手局電話番号群以外の相手局電話番号群からの検索を行う第２検索手段、及び、
上記第１検索手段又は上記第２検索手段により着信があった相手局電話番号が存在すると判断された相手局電話番号群に対応する自局電話番号について設定された着信態様で着信報知を行う報知手段として機能させるプログラムが記憶されていることが望ましい。
また、電話番号記憶手段に記憶されている相手局電話番号であって、一の自局電話番号に対応していない相手局電話番号から、当該自局電話番号に対して着信があったときには、その旨が表示部に表示されるように携帯電話機が構成されていることが望ましい。
電話番号記憶手段に記憶されている相手局電話番号であって、一の自局電話番号に対応していない相手局電話番号から、当該自局電話番号に対して着信があるということは、その相手先に対して教えていない自局電話番号が知られてしまった可能性が高いので、その旨が使用者に報知されることにより、使用者は、何らかの対策を講じることについて検討することが可能となる。
【００５４】
実施形態に係る携帯電話機１が備える制御回路１１６のメモリには、携帯電話機１を、相手局電話番号を３つの自局電話番号Ｘ〜Ｚのいずれかに対応させて記憶する電話番号記憶手段、所定の着信態様で着信報知を行う着信報知手段、着信態様を３つの自局電話番号の各々に対して個別に設定可能とする着信態様設定手段、及び、着信があったときの相手局電話番号が、上記電話番号記憶手段に記憶されているか否かを判断する判断手段として機能させ、着信があったときの相手局電話番号が上記電話番号記憶手段に記憶されていると上記判断手段が判断したことを受けて、上記着信報知手段が上記着信態様設定手段により設定された着信態様で着信報知を行う一方、着信があったときの相手局電話番号が上記電話番号記憶手段に記憶されていないと上記判断手段が判断したことを受けて、上記着信報知手段が上記着信態様設定手段により設定された着信態様以外の着信態様で着信報知を行う本発明に係る携帯電話機１の制御プログラムが格納されている。
【００５５】
この携帯電話機１の制御プログラムによれば、電話番号記憶手段に記憶されている相手局電話番号以外の相手局電話番号から着信があった場合には、３つの自局電話番号の各々に対して個別に設定された着信態様以外の着信態様で着信報知が行われるように携帯電話機１が制御されるため、例えば、仕事用に使用している自局電話番号に対して間違い電話があった場合であっても、間違い電話であることを着信態様からある程度予想することができ、仕事用の電話であると判断して慌てて電話に出てしまうことがない。その結果、用途に応じた着信態様の使い分けを確実に行うことができ、使用者の精神的ストレスを低減させることが可能となる。
【図面の簡単な説明】
【００５６】
【図１】実施形態に係る携帯電話機の一例を模式的に示す斜視図である。
【図２】図１に示した携帯電話機の内部構成を示すブロック図である。
【図３】図２に示した電話番号記憶回路内のメモリに格納されるアドレス帳テーブルの一例を示す概念図である。
【図４】図１に示した携帯電話機の制御回路において実行される着信処理ルーチンを示すフローチャートである。
【図５】図２に示した電話番号記憶手段内のメモリに格納されるアドレス帳テーブルの別の一例を示す概念図である。
【符号の説明】
【００５７】
１  携帯電話機
２  アンテナ部
３  受話口
４  ディスプレイ
５  十字方向操作キー
６  操作キー群
７  送話口
８（８ａ〜８ｃ）  アンテナ
１１  ケース
１２  カバー
１０１（１０１ａ〜１０１ｃ）  信号処理回路
１０２（１０２ａ〜１０２ｃ）  レベル検出回路
１０３  着信音出力スピーカ
１０４  バイブレータ用モータ
１１１  スピーカ
１１２  マイクロホン
１１３  電話番号記憶回路
１１６  制御回路
【図１】
2005210306.tif 000003
【図２】
2005210306.tif 000004
【図３】
2005210306.tif 000005
【図４】
2005210306.tif 000006
【図５】
2005210306.tif 000007